(57)【要約】【課題】２台の携帯電話端末の一方の端末操作により他方の端末の発着信を制御するとともに通話も一方の端末側で可能にする。【解決手段】携帯端末Ｂと携帯端末Ａは、予めBluetooth（登録商標）モジュールＡ６とＢ６を通じてモデム１１の接続とヘッドホンとしてVOICE１２の接続を行っておく。携帯端末Ａの入力デバイスＡ２と表示デバイスＡ１を用いてユーザが入力した携帯端末Ｂによる発呼データに基づいて発呼コマンドを作成し、MODEM１１の接続を通して発呼コマンドを携帯端末Ｂに発行する。携帯端末Ｂは、この発呼コマンドに従って携帯端末Ｂを公衆無線通信網へ接続するための発信を行う。公衆無線通信網へ接続後、携帯端末Ａは、BluetoothモジュールＡ６とＢ６を用いたVOICE１２接続により、携帯端末Ａの音声入力デバイスＡ４と音声出力デバイスＡ３を、携帯端末Ｂの送受話器としても使用する。【選択図】図１
2009111888.tif 000002
【特許請求の範囲】
【請求項１】
公衆無線通信網を介して通信を行う機能及び近距離無線通信を行う機能を有する２台の携帯端末を用いた携帯無線通信方法であって、
前記２台の携帯端末の一方の携帯端末が、前記近距離無線通信を介して前記２台の携帯端末の他方の携帯端末による前記公衆無線通信網への発信に必要な制御コマンドを発行し、該制御コマンドを受信した前記他方の携帯端末による発呼動作により前記公衆無線通信網と接続することによって、前記一方の携帯端末の送受話手段と前記公衆無線通信網との間の通話路を、前記近距離無線通信および前記他方の携帯端末を介して形成することを特徴とする携帯無線通信方法。
【請求項２】
公衆無線通信網を介して通信を行う機能及び近距離無線通信を行う機能を有する２台の携帯端末を用いた携帯無線通信方法であって、
前記２台の携帯端末の一方の携帯端末が、前記近距離無線通信を介して前記２台の携帯端末の他方の携帯端末による前記公衆無線通信網への発信に必要な制御コマンドを発行し、該制御コマンドを受けた前記他方の携帯端末による発呼動作により前記公衆無線通信網と接続することによって、前記一方の携帯端末の送受話手段と前記公衆無線通信網との間の通話路を、前記近距離無線通信および前記他方の携帯端末を介して形成するとともに、前記近距離無線通信を介して前記一方の携帯端末の送受話手段と前記他方の携帯端末の送受話手段との間に形成した通話路と、前記他方の携帯端末の送受話手段と前記公衆無線通信網との間に形成した通話路により、相手側端末との間で３者間通話を可能にしたことを特徴とする携帯無線通信方法。
【請求項３】
前記２台の携帯端末は、互いに異なるキャリア契約の２台の携帯端末であることを特徴とする請求項１または２に記載の携帯無線通信方法。
【請求項４】
公衆無線通信網を介して通信を行う公衆無線通信手段と、端末間での近距離無線通信が可能な近距離無線通信手段とを備えた２台の携帯端末を含む携帯無線通信システムであって、
前記携帯端末はそれぞれ、
他方の携帯端末による前記公衆無線通信網への発信に必要な制御コマンドを生成する手段と、該生成した制御コマンドを、前記近距離無線通信を介して前記他方の携帯端末へ送信する手段と、
自端末による前記公衆無線通信網への発信に必要な制御コマンドを、前記近距離無線通信を介して前記他方の携帯端末から受信したとき、自端末による前記公衆無線通信網への発呼を実行する手段と、
前記他方の携帯端末と前記公衆無線通信網の回線接続中に、自端末の送話部から送出される通話信号を、前記近距離無線通信を介して前記他方の携帯端末へ送信する手段と、前記他方の携帯端末から前記近距離無線通信を介して受信した前記公衆無線通信網からの通話信号を、自端末の受話部へ送出する手段と、
自端末と前記公衆無線通信網の回線接続中に、前記近距離無線通信を介して受信した前記他方の携帯端末からの通話信号を前記公衆無線通信網へ送信する手段と、前記公衆無線通信網から受信した通話信号を、前記近距離無線通信を介して前記他方の携帯端末へ送信する手段と、
を備えていることを特徴とする携帯無線通信システム。
【請求項５】
公衆無線通信網を介して通信を行う公衆無線通信手段と、端末間での近距離無線通信が可能な近距離無線通信手段とを備えた２台の携帯端末を含む携帯無線通信システムであって、
前記携帯端末はそれぞれ、
他方の携帯端末による前記公衆無線通信網への発信に必要な制御コマンドを生成する手段と、該生成した制御コマンドを、前記近距離無線通信を介して前記他方の携帯端末へ送信する手段と、
自端末による前記公衆無線通信網への発信に必要な制御コマンドを、前記近距離無線通信を介して前記他方の携帯端末から受信したとき、自端末による前記公衆無線通信網への発呼を実行する手段と、
前記他方の携帯端末と前記公衆無線通信網の回線接続中に、自端末の送話部から送出される通話信号を、前記近距離無線通信を介して前記他方の携帯端末へ送信する手段と、前記他方の携帯端末から前記近距離無線通信を介して受信した前記公衆無線通信網からの通話信号を、自端末の受話部へ送出する手段と、
自端末と前記公衆無線通信網の回線接続中に、前記近距離無線通信を介して受信した前記他方の携帯端末からの通話信号を前記公衆無線通信網へ送信するとともに自端末の受話部へ送出する手段と、前記公衆無線通信網から受信した通話信号を、前記近距離無線通信を介して前記他方の携帯端末へ送信するとともに自端末の受話部へ送出する手段と、自端末の送話部から送出される通話信号を、前記公衆無線通信網へ送信するとともに前記近距離無線通信を介して前記他方の携帯端末へ送信する手段と、
を備えていることを特徴とする携帯無線通信システム。
【請求項６】
請求項４に記載の携帯無線通信システムに用いられる携帯端末であって、
前記携帯端末は、
他方の携帯端末による前記公衆無線通信網への発信に必要な制御コマンドを生成する手段と、該生成した制御コマンドを、前記近距離無線通信を介して前記他方の携帯端末へ送信する手段と、
自端末による前記公衆無線通信網への発信に必要な制御コマンドを、前記近距離無線通信を介して前記他方の携帯端末から受信したとき、自端末による前記公衆無線通信網への発呼を実行する手段と、
前記他方の携帯端末と前記公衆無線通信網の回線接続中に、自端末の送話部から送出される通話信号を、前記近距離無線通信を介して前記他方の携帯端末へ送信する手段と、前記他方の携帯端末から前記近距離無線通信を介して受信した前記公衆無線通信網からの通話信号を、自端末の受話部へ送出する手段と、
自端末と前記公衆無線通信網の回線接続中に、前記近距離無線通信を介して受信した前記他方の携帯端末からの通話信号を前記公衆無線通信網へ送信する手段と、前記公衆無線通信網から受信した通話信号を、前記近距離無線通信を介して前記他方の携帯端末へ送信する手段と、
を備えていることを特徴とする携帯端末。
【請求項７】
請求項５に記載の携帯無線通信システムに用いられる携帯端末であって、
前記携帯端末は、
他方の携帯端末による前記公衆無線通信網への発信に必要な制御コマンドを生成する手段と、該生成した制御コマンドを、前記近距離無線通信を介して前記他方の携帯端末へ送信する手段と、
自端末による前記公衆無線通信網への発信に必要な制御コマンドを、前記近距離無線通信を介して前記他方の携帯端末から受信したとき、自端末による前記公衆無線通信網への発呼を実行する手段と、
前記他方の携帯端末と前記公衆無線通信網の回線接続中に、自端末の送話部から送出される通話信号を、前記近距離無線通信を介して前記他方の携帯端末へ送信する手段と、前記他方の携帯端末から前記近距離無線通信を介して受信した前記公衆無線通信網からの通話信号を、自端末の受話部へ送出する手段と、
自端末と前記公衆無線通信網の回線接続中に、前記近距離無線通信を介して受信した前記他方の携帯端末からの通話信号を前記公衆無線通信網へ送信するとともに自端末の受話部へ送出する手段と、前記公衆無線通信網から受信した通話信号を、前記近距離無線通信を介して前記他方の携帯端末へ送信するとともに自端末の受話部へ送出する手段と、自端末の送話部から送出される通話信号を、前記公衆無線通信網へ送信するとともに前記近距離無線通信を介して前記他方の携帯端末へ送信する手段と、
を備えていることを特徴とする携帯端末。
【発明の詳細な説明】
【技術分野】
【０００１】
本発明は、携帯電話機能および端末間の近距離無線通信機能を有する携帯端末を用いた携帯無線通信方法およびシステムに関する。
【背景技術】
【０００２】
携帯電話端末にBluetooth（登録商標）等の近距離無線通信機能を付加し、同じく近距離無線通信機能を付加したパーソナルコンピュータ（ＰＣ）からの操作により、携帯電話端末からの音声発信、メール発信、または音声着信、メール着信を、ＰＣ上のアプリケーションから直接制御可能にする技術が特許文献１に開示されている。
【０００３】
また、携帯電話端末にBluetooth（登録商標）等の近距離無線通信機能を付加し、この携帯電話端末の近くに操作性および通信性能に優れている自動車電話機が存在する場合に、操作性に優れている自動車電話機でキー操作を行って、その情報を近距離無線通信により携帯電話端末に送信し、該キー操作に応じた処理を携帯電話端末で行い、携帯電話端末が自動車電話網経由で電話通信を行うことを可能にする技術が、特許文献２〜３に開示されている。
【０００４】
【特許文献１】特開２００３−２８３６９３号公報
【特許文献２】特開２００３−１６３９６５号公報
【特許文献３】特開２００３−１８９３７０号公報
【発明の開示】
【発明が解決しようとする課題】
【０００５】
携帯電話端末を、例えば個人用と社用の携帯電話端末として２台持ち歩き、プライベートの電話は個人用の携帯電話端末を使用し、仕事上の電話は社用の携帯電話端末を使用するケース、あるいは、異なるキャリア契約の２台の携帯電話端末を保持し、相手等に応じて通話料が安くなる携帯電話端末を使用するケース等、２台の携帯電話端末を用途あるいは状況に応じて使い分ける必要が生ずる場合がある。
【０００６】
そのような場合、使用時に直に取り出せるように、２台の携帯電話端末を両方とも上着のポケット等に入れて持ち歩くと嵩張るので、使用頻度の高い携帯電話端末は上着のポケット等に入れて、直に手に取りやすい状態で保持し、もう１台の携帯電話端末はカバンの中に入れて持ち歩くような利用形態となることが多い。
【０００７】
その場合、着信に関しては、転送などのサービスが行われている為、二つの携帯電話端末のどちらに着信がかかっても、直に取り出せる状態で保持している携帯電話端末で着信を受けて通話することは可能であるが、発信に関しては発信を行いたい携帯電話端末により発信操作を行わなければならないため、例えばカバンの中に入れてある携帯電話端末で発信を行う場合には、その都度カバンの中から取り出して使用する必要がある。
【０００８】
本発明の目的は、上記問題点に鑑み、２台の携帯電話端末を携帯しているときに、他方の携帯電話端末による発着信動作および通話を、一方の携帯電話端末のキー入力操作および送受話機能を用いて実施可能にする手段を提供することにある。
【０００９】
また本発明の他の目的は、２台の携帯電話端末を携帯しているときに、この２台の携帯電話端末と相手側通信端末との間で、１通話回線のみで３者間通話を可能にする手段を提供することにある。
【課題を解決するための手段】
【００１０】
本発明の携帯無線通信方法は、公衆無線通信網を介して通信を行う機能及び近距離無線通信を行う機能を有する２台の携帯端末を用いた携帯無線通信方法であって、前記２台の携帯端末の一方の携帯端末が、前記近距離無線通信を介して前記２台の携帯端末の他方の携帯端末による前記公衆無線通信網への発信に必要な制御コマンドを発行し、該制御コマンドを受信した前記他方の携帯端末による発呼動作により前記公衆無線通信網と接続することによって、前記一方の携帯端末の送受話手段と前記公衆無線通信網との間の通話路を、前記近距離無線通信および前記他方の携帯端末を介して形成することを特徴とする。
【００１１】
また本発明の携帯無線通信方法は、公衆無線通信網を介して通信を行う機能及び近距離無線通信を行う機能を有する２台の携帯端末を用いた携帯無線通信方法であって、前記２台の携帯端末の一方の携帯端末が、前記近距離無線通信を介して前記２台の携帯端末の他方の携帯端末による前記公衆無線通信網への発信に必要な制御コマンドを発行し、該制御コマンドを受けた前記他方の携帯端末による発呼動作により前記公衆無線通信網と接続することによって、前記一方の携帯端末の送受話手段と前記公衆無線通信網との間の通話路を、前記近距離無線通信および前記他方の携帯端末を介して形成するとともに、前記近距離無線通信を介して前記一方の携帯端末の送受話手段と前記他方の携帯端末の送受話手段との間に形成した通話路と、前記他方の携帯端末の送受話手段と前記公衆無線通信網との間に形成した通話路により、相手側端末との間で３者間通話を可能にしたことを特徴とする。
【００１２】
本発明の携帯無線通信システムは、公衆無線通信網を介して通信を行う公衆無線通信手段と、端末間での近距離無線通信が可能な近距離無線通信手段とを備えた２台の携帯端末を含む携帯無線通信システムであって、前記携帯端末はそれぞれ、他方の携帯端末による前記公衆無線通信網への発信に必要な制御コマンドを生成する手段と、該生成した制御コマンドを、前記近距離無線通信を介して前記他方の携帯端末へ送信する手段と、自端末による前記公衆無線通信網への発信に必要な制御コマンドを、前記近距離無線通信を介して前記他方の携帯端末から受信したとき、自端末による前記公衆無線通信網への発呼を実行する手段と、前記他方の携帯端末と前記公衆無線通信網の回線接続中に、自端末の送話部から送出される通話信号を、前記近距離無線通信を介して前記他方の携帯端末へ送信する手段と、前記他方の携帯端末から前記近距離無線通信を介して受信した前記公衆無線通信網からの通話信号を、自端末の受話部へ送出する手段と、自端末と前記公衆無線通信網の回線接続中に、前記近距離無線通信を介して受信した前記他方の携帯端末からの通話信号を前記公衆無線通信網へ送信する手段と、前記公衆無線通信網から受信した通話信号を、前記近距離無線通信を介して前記他方の携帯端末へ送信する手段と、を備えていることを特徴とする。
【００１３】
また本発明の携帯無線通信システムは、公衆無線通信網を介して通信を行う公衆無線通信手段と、端末間での近距離無線通信が可能な近距離無線通信手段とを備えた２台の携帯端末を含む携帯無線通信システムであって、前記携帯端末はそれぞれ、他方の携帯端末による前記公衆無線通信網への発信に必要な制御コマンドを生成する手段と、該生成した制御コマンドを、前記近距離無線通信を介して前記他方の携帯端末へ送信する手段と、自端末による前記公衆無線通信網への発信に必要な制御コマンドを、前記近距離無線通信を介して前記他方の携帯端末から受信したとき、自端末による前記公衆無線通信網への発呼を実行する手段と、前記他方の携帯端末と前記公衆無線通信網の回線接続中に、自端末の送話部から送出される通話信号を、前記近距離無線通信を介して前記他方の携帯端末へ送信する手段と、前記他方の携帯端末から前記近距離無線通信を介して受信した前記公衆無線通信網からの通話信号を、自端末の受話部へ送出する手段と、自端末と前記公衆無線通信網の回線接続中に、前記近距離無線通信を介して受信した前記他方の携帯端末からの通話信号を前記公衆無線通信網へ送信するとともに自端末の受話部へ送出する手段と、前記公衆無線通信網から受信した通話信号を、前記近距離無線通信を介して前記他方の携帯端末へ送信するとともに自端末の受話部へ送出する手段と、自端末の送話部から送出される通話信号を、前記公衆無線通信網へ送信するとともに前記近距離無線通信を介して前記他方の携帯端末へ送信する手段と、を備えていることを特徴とする。
【００１４】
本発明の携帯端末は、前記携帯無線通信システムに用いられるものであって、他方の携帯端末による前記公衆無線通信網への発信に必要な制御コマンドを生成する手段と、該生成した制御コマンドを、前記近距離無線通信を介して前記他方の携帯端末へ送信する手段と、自端末による前記公衆無線通信網への発信に必要な制御コマンドを、前記近距離無線通信を介して前記他方の携帯端末から受信したとき、自端末による前記公衆無線通信網への発呼を実行する手段と、前記他方の携帯端末と前記公衆無線通信網の回線接続中に、自端末の送話部から送出される通話信号を、前記近距離無線通信を介して前記他方の携帯端末へ送信する手段と、前記他方の携帯端末から前記近距離無線通信を介して受信した前記公衆無線通信網からの通話信号を、自端末の受話部へ送出する手段と、自端末と前記公衆無線通信網の回線接続中に、前記近距離無線通信を介して受信した前記他方の携帯端末からの通話信号を前記公衆無線通信網へ送信する手段と、前記公衆無線通信網から受信した通話信号を、前記近距離無線通信を介して前記他方の携帯端末へ送信する手段と、を備えていることを特徴とする。
【００１５】
また本発明の携帯端末は、前記携帯無線通信システムに用いられるものであって、他方の携帯端末による前記公衆無線通信網への発信に必要な制御コマンドを生成する手段と、該生成した制御コマンドを、前記近距離無線通信を介して前記他方の携帯端末へ送信する手段と、自端末による前記公衆無線通信網への発信に必要な制御コマンドを、前記近距離無線通信を介して前記他方の携帯端末から受信したとき、自端末による前記公衆無線通信網への発呼を実行する手段と、前記他方の携帯端末と前記公衆無線通信網の回線接続中に、自端末の送話部から送出される通話信号を、前記近距離無線通信を介して前記他方の携帯端末へ送信する手段と、前記他方の携帯端末から前記近距離無線通信を介して受信した前記公衆無線通信網からの通話信号を、自端末の受話部へ送出する手段と、自端末と前記公衆無線通信網の回線接続中に、前記近距離無線通信を介して受信した前記他方の携帯端末からの通話信号を前記公衆無線通信網へ送信するとともに自端末の受話部へ送出する手段と、前記公衆無線通信網から受信した通話信号を、前記近距離無線通信を介して前記他方の携帯端末へ送信するとともに自端末の受話部へ送出する手段と、自端末の送話部から送出される通話信号を、前記公衆無線通信網へ送信するとともに前記近距離無線通信を介して前記他方の携帯端末へ送信する手段と、を備えていることを特徴とする。
【発明の効果】
【００１６】
本発明によれば、近距離無線通信機能付きの第１および第２の携帯端末間で、例えば第２の携帯端末による発着信を、第１の携帯端末から前記近距離無線通信を介して直接制御することにより、第１の携帯端末の通話機能を用いて第２の携帯端末による通信を行うので、発着信操作を行う必要がある第２の携帯電話端末がカバンの中に収納されて直に取り出せないような状況であっても、直に取り出せる状態で保持している第１の携帯端末により、直ちに第２の携帯端末による発着信に対処することが可能となる。
【００１７】
また、発着信の際のキー入力操作機能、および送受話機能は、第１の携帯端末により実行でき、第２の携帯端末では基地局を介した相手端末との間の無線通信機能を実行すれば相手との通信が可能となるので、第２の携帯電話端末は手に持たなくても、例えばカバンの中に収納された状態のまま、第２の携帯端末を用いた公衆無線通信による通話を第１の携帯端末で行うことができる。
【００１８】
また、第１の携帯端末の通話機能を用いて第２の携帯端末による通信を行っているとき、第２の携帯端末の通話機能も活用することにより、第１および第２の携帯電話端末と相手側通信端末との間で、１通話回線のみで３者間通話をおこなうことができる。
【発明を実施するための最良の形態】
【００１９】
図１は、２台の近距離無線通信機能付き携帯端末を用いた本発明の携帯無線通信システムの第１の実施形態を示す概略ブロック図である。
【００２０】
図１において、２台の携帯端末Ａ，Ｂは、それぞれＬＣＤ等により構成された表示部を有する表示デバイスＡ１，Ｂ１と、キー操作部を有する入力デバイスＡ２，Ｂ２と、通話を行う為の機能としての、スピーカまたはレシーバ等の受話器を有する音声出力デバイスＡ３，Ｂ３、およびマイクを有する音声入力デバイスＡ４，Ｂ４と、携帯電話基地局との間で無線により音声又はデータの送受信を行う無線部Ａ５，Ｂ５と、携帯端末Ａ，Ｂ間での近距離無線通信を行う手段としてBluetoothモジュールＡ６，Ｂ６を備えている。
【００２１】
なお図の携帯端末では、本発明と直接関連するブロックのみを示している。図示されていないが、携帯端末Ａ，Ｂは、これらの各ブロックの動作を制御するための制御部としての、ＣＰＵ、ＣＰＵの動作プログラムや各種データ等を格納するＲＯＭ、ＣＰＵによりプログラム実行の際に一時記憶領域として用いられるＲＡＭ等を有しており、また各ブロックに動作電流を供給するための電源等、一般的な携帯端末が有している各種機能ブロックが備えられている。
【００２２】
BluetoothモジュールＡ６，Ｂ６は、携帯端末Ａ，Ｂ間を近距離無線接続する際に、モデム機器と接続の為のモデム機能１１と、マイク付きヘッドホンとして接続する為のVOICE機能１２を有する。また、ユーザ操作によりモデムのＡＴコマンドを制御する機能を有しており、一方の携帯端末からの発着信を他方の携帯端末からのキー入力操作により可能にする。
【００２３】
携帯端末Ａ，Ｂは、携帯端末Ａの操作で携帯端末Ｂの発着信を制御、あるいは携帯端末Ｂの操作で携帯端末Ａの発着信を制御する場合、それぞれの表示デバイス２と入力デバイス３により、MODEMで発着信に必要な制御コマンドの入力及び応答確認が可能である。また、携帯端末利用者は、直接ＡＴコマンドを操作する必要は無い為、表示デバイス２と入力デバイス３を用いて発信、着信の操作を行えるような機能を有していれば良い。
【００２４】
次に、図１を参照して、携帯端末Ｂによる公衆無線通信網を介しての発信動作を携帯端末Ａにより制御し、携帯端末Ｂと公衆無線通信網との通話を携帯端末Ａの音声入出力デバイスＡ３，Ａ４で行う場合の本実施形態の動作について説明する。
【００２５】
まず、携帯端末Ｂと携帯端末Ａは、予めBluetoothモジュールＡ６とＢ６を通じてモデム１１の接続とヘッドホンとしてVOICE１２の接続を行っておく。
【００２６】
携帯端末Ｂによる通話発信動作を携帯端末Ａからの指示で行う場合、携帯端末Ａの入力デバイスＡ２と表示デバイスＡ１を用いてユーザが入力した携帯端末Ｂによる発呼データに基づいて発呼コマンドを作成し、MODEM１１の接続を通して近距離通信によりこの発呼コマンドを携帯端末Ｂに発行する。携帯端末Ｂは、携帯端末Ａから受けた発呼コマンドに従って、携帯端末Ｂを公衆無線通信網へ接続するための発信動作を行う。これにより、ユーザは携帯端末Ｂに触らなくても携帯端末Ｂから発信を行うことができる。
【００２７】
一方、携帯端末Ａは、BluetoothモジュールＡ６とＢ６を用いた近距離無線通信により携帯端末Ｂとの間でVOICE１２接続が行われているので、携帯端末Ａの音声入力デバイスＡ４と音声出力デバイスＡ３を、携帯端末Ｂの送受話器としても使用可能であり、携帯端末Ａの音声出力デバイスＡ３と音声入力デバイスＡ４を用いて携帯端末Ｂと公衆無線通信網間の通話を携帯端末Ａによって行うことができる。
【００２８】
なお上記動作は、携帯端末Ｂによる通話発信動作を携帯端末Ａからの指示で行う場合の動作であるが、携帯端末Ｂに着信があった場合に、着信動作を携帯端末Ａからの指示で行うことも可能である。その場合には、公衆無線通信網から携帯端末Ｂへの着信信号を、MODEM１１の接続を通して近距離通信により携帯端末Ａへ送信し、携帯端末Ａからこの近距離通信により携帯端末Ｂに着呼に対する接続指示を発行することによって携帯端末Ｂと公衆無線通信網間の回線接続を実行させる。
【００２９】
図２は、２台の近距離無線通信機能付き携帯端末を用いた本発明の携帯無線通信システムの第２の実施形態を示す概略ブロック図である。
【００３０】
本実施形態の基本的構成は第１の実施形態と同様であるが、本実施形態では、公衆無線通信網と接続される携帯端末Ｂに備えられている音声出力デバイスＢ３と音声入力デバイスＢ４も送受話器として使用することにより、携帯端末Ａと携帯端末Ｂにより、相手側通信端末Ｃとの間で、１回線のみの接続で３者間通話が可能な構成としている。以下、図２を参照して、本実施形態の動作について説明する。
【００３１】
まず、携帯端末Ｂと携帯端末Ａは、予めBluetoothモジュールＡ６とＢ６を通じてモデム１１の接続とヘッドホンとしてVOICE１２の接続を行っておく。
【００３２】
携帯端末Ｂによる通話発信動作を携帯端末Ａからの指示で行う場合、携帯端末Ａの入力デバイスＡ２と表示デバイスＡ１を用いてユーザが入力した携帯端末Ｂによる発呼データに基づいて発呼コマンドを作成し、MODEM１１の接続を通して近距離通信によりこの発呼コマンドを携帯端末Ｂに発行する。携帯端末Ｂは、携帯端末Ａから受けた発呼コマンドに従って、携帯端末Ｂを公衆無線通信網経由で携帯端末Ｃへ接続するための発信動作を行う。これにより、ユーザは携帯端末Ａの操作により、携帯端末Ｂに触らなくても携帯端末Ｂから携帯端末Ｃへの発信を行うことができる。
【００３３】
本実施形態においても、携帯端末Ａと携帯端末Ｂは（論理的）接続が済んでいるので、携帯端末Ａは携帯端末Ｂのヘッドホンとして機能しており、携帯端末Ｂの音声入出力デバイスＢ３、Ｂ４を使わなくても、携帯端末Ａの音声入出力デバイスＡ３，Ａ４を使用することで、携帯端末Ｃとの間の通話を行うことが出来るが、この時、携帯端末Ｂの音声入出力デバイスＢ３、Ｂ４も同時に有効とすることで、携帯端末Ａと携帯端末Ｂ間で、BluetoothのVOICE接続１２による通話が可能になる。
【００３４】
この状態で携帯端末Ｂの無線部Ｂ５を使って、通常の公衆無線通信網を利用して携帯端末Ｃと通話状態にすると、携帯端末Ｂと携帯端末Ｃ間の１回線のみで、携帯端末Ａも携帯端末Ｂおよび携帯端末Ｃと通話を行うことができ、３者間通話状態をつくることができる。
【図面の簡単な説明】
【００３５】
【図１】本発明の第１の実施形態を示すブロック図である。
【図２】本発明の第２の実施形態を示すブロック図である。
【符号の説明】
【００３６】
Ａ１，Ｂ１  表示デバイス
Ａ２，Ｂ２  入力デバイス
Ａ３，Ｂ３  音声出力デバイス
Ａ４，Ｂ４  音声入力デバイス
Ａ５，Ｂ５，Ｃ５  無線部
Ａ６，Ｂ６  近距離無線部
１１  ＭＯＤＥＭ
１２  ＶＯＩＣＥ
【図１】
2009111888.tif 000003
【図２】
2009111888.tif 000004